(57)【特許請求の範囲】
【請求項１】
ネットワークに接続される複数の機器を備える機器設定システムにおいて、
前記複数の機器は、機器の動作を設定する設定情報が記憶された設定処理対象元機器と、前記設定情報が設定される設定処理対象機器と、を少なくとも含み、
前記複数の機器のうち少なくとも一つの機器は、前記設定処理対象元機器のなかから前記設定処理対象機器のユーザが利用している機器を選択して、前記選択された機器に記憶された設定情報に基づいて前記設定処理対象機器の設定情報を設定する設定処理実行部を備え、
前記設定処理実行部は、
前記設定処理対象元機器の前記設定情報である設定元設定情報を前記設定処理対象機器の設定情報である設定先設定情報に適合させるために、前記設定元設定情報の項目と前記設定先設定情報の項目との対応関係を保持する設定情報変換ルールを記憶し、
前記設定情報変換ルールを参照して、前記設定元設定情報の項目の値を、前記設定先設定情報の項目のうち当該設定元設定情報の項目に対応する項目の値に設定することを特徴とする機器設定システム。
【請求項２】
前記複数の機器は、さらに前記設定処理実行部を備える設定処理実行機器を含むことを特徴とする請求項１に記載の機器設定システム
【請求項３】
前記設定処理実行部は、前記設定処理対象機器から最も近い距離に位置する機器を、前記設定処理対象機器のユーザが利用している機器として選択することを特徴とする請求項１に記載の機器設定システム。
【請求項４】
前記設定処理実行部は、前記設定処理対象機器と前記設定処理対象元機器との間で送受信される電波強度に基づいて、前記設定処理対象機器から最も近い距離に位置する機器を、前記設定処理対象機器のユーザが利用している機器として選択することを特徴とする請求項３に記載の機器設定システム。
【請求項５】
ネットワークに接続される複数の機器の機器設定方法において、
前記複数の機器は、機器の動作を設定する設定情報が記憶された設定処理対象元機器と、前記設定情報が設定される設定処理対象機器と、を少なくとも含み、
前記方法は、前記複数の機器のうち少なくとも一つの機器が、前記設定処理対象元機器のなかから前記設定処理対象機器のユーザが利用している機器を選択して、前記選択された機器の前記設定情報に基づいて前記設定処理対象機器の前記設定情報を設定するステップを含み、
前記複数の機器のうち少なくとも一つの機器は、前記設定処理対象元機器の前記設定情報である設定元設定情報を前記設定処理対象機器の設定情報である設定先設定情報に適合させるために、前記設定元設定情報の項目と前記設定先設定情報の項目との対応関係を保持する設定情報変換ルールを記憶し、
前記ステップは、前記設定情報変換ルールを参照して、前記設定元設定情報の項目の値を、前記設定先設定情報の項目のうち当該設定元設定情報の項目に対応する項目の値に設定するステップを含むことを特徴とする機器設定方法。
【請求項６】
前記複数の機器は、さらに、前記設定情報を設定する設定処理実行機器を含むことを特徴とする請求項５に記載の機器設定方法。
【請求項７】
前記設定処理対象機器から最も近い距離に位置する機器を、前記設定処理対象機器のユーザが利用している機器として選択することを特徴とする請求項５に記載の機器設定方法。
【請求項８】
前記設定処理対象機器と前記設定処理対象元機器との間で送受信される電波強度に基づいて、前記設定処理対象機器から最も近い距離に位置する機器を、前記設定処理対象機器のユーザが利用している機器として選択することを特徴とする請求項７に記載の機器設定方法。
【発明の詳細な説明】
【技術分野】
【０００１】
本発明は、ネットワークによって接続された機器の設定方法及び機器設定システムに関する。
【背景技術】
【０００２】
近年、携帯電話及び情報家電等の組込み機器の高機能化が進んでいる。これによって、機器の動作を調整する設定項目が複雑化している。機器を最適に動作させるために、ユーザは設定項目を適切に設定しなければならない。しかし、従来の機器では、ユーザが機器を導入する度に、設定項目を適切に設定する必要があり、ユーザにとって煩わしかった。この問題は、ユーザが機器の扱いに習熟していない場合に特に顕著である。
【０００３】
機器を動作させるために最低限必要な設定項目を、機器が自動的に設定する技術が知られている。
【０００４】
例えば、機器をネットワーク接続させる場合に、必要となるアドレス設定を自動的に設定する技術等がある。
【０００５】
しかし、各機器が各機種に固有の機能の設定項目を自動的に設定することは困難である。また、ユーザの好みに関する設定項目については、ユーザの情報なしに、機器が自動的に設定できない。
【０００６】
このような問題の改善策として、機器とネットワークによって接続されている他の同種の機器から設定情報を取得し、当該機器の設定項目の設定値として設定する方法が知られている（例えば、特許文献１参照）。
【特許文献１】特開２００３−５２０９０号公報
【発明の開示】
【発明が解決しようとする課題】
【０００７】
しかし、特許文献１に記載された方法では、機器間で設定情報を送受信するため、当該機器は標準インタフェース及びプロトコルを備える必要がある。これによって、機器の設計コスト及び製造コストの増加を招いてしまう。
【０００８】
また、この方法は、異なる機種の機器では設定情報を送受信できない。従って、この方法は、複数の同じ種類の機器がネットワーク上に接続された場合にのみ有効であり、異なる機器では設定情報を自動的に設定することができない。
【０００９】
また、この方法は、ネットワーク上に設定情報のコピー元となる機器が複数ある場合には、当該機器が自動的にコピー元となる機器を選択することはできない。従って、ユーザがどの機器を設定情報のコピー元とするかを選択する。このような方法では、ユーザが適切な機器を選択できない可能性もある。
【００１０】
一方、機器にネットワークを介して接続されたコンピュータのＷｅｂブラウザに設定情報を変更する機器の設定画面を表示して、ユーザが設定画面に設定情報を入力する方法も知られている。しかし、この方法は、ユーザが設定情報を設定するものである。
【００１１】
本発明の目的は、機器の設定情報を自動的に設定する機器設定方法を提供することである。また、本発明の他の目的は、各機器間において、設定情報を送受信するための標準インタフェース及びプロトコルが不要な機器設定方法を提供することである。また、本発明の他の目的は、種類の異なる機器の間においても設定情報を自動的に設定できる機器設定方法を提供することである。
【課題を解決するための手段】
【００１２】
本発明の一実施形態によると、ネットワークに接続される複数の機器を備える機器設定システムにおいて、前記複数の機器は、機器の動作を設定する設定情報が記憶された設定処理対象元機器と、前記設定情報が設定される設定処理対象機器と、を少なくとも含み、前記複数の機器のうち少なくとも一つの機器は、前記設定処理対象元機器のなかから前記設定処理対象機器のユーザが利用している機器を選択して、前記選択された機器に記憶された設定情報に基づいて前記設定処理対象機器の設定情報を設定する設定処理実行部を備え、前記設定処理実行部は、前記設定処理対象元機器の前記設定情報である設定元設定情報を前記設定処理対象機器の設定情報である設定先設定情報に適合させるために、前記設定元設定情報の項目と前記設定先設定情報の項目との対応関係を保持する設定情報変換ルールを記憶し、前記設定情報変換ルールを参照して、前記設定元設定情報の項目の値を、前記設定先設定情報の項目のうち当該設定元設定情報の項目に対応する項目の値に設定することを特徴とする。
【発明の効果】
【００１３】
本発明によれば、機器設定の設定情報を自動的に設定する機器設定方法を提供できる。
【発明を実施するための最良の形態】
【００１４】
以下に、本発明の実施の形態について図面を参照して説明する。
【００１５】
図１は、本発明の実施の形態の計算機システムの構成を示すシステム構成図である。
【００１６】
本計算機システムは、機器１Ａ、機器１Ｂ、機器１Ｃ、機器１Ｄ、ホームサーバ２及び無線ＬＡＮアクセスポイント３を備える。
【００１７】
具体的には、機器１ＡはＨＤＤ（Ｈａｒｄ  Ｄｉｓｋ  Ｄｒｉｖｅ）レコーダ、機器１Ｂは携帯電話機であり、機器１Ｃ及び機器１Ｄはテレビ受信機等の映像表示装置である。以下、機器１ＡをＨＤＤレコーダ１Ａ、機器１Ｂを携帯電話機１Ｂ、機器１Ｃを映像表示装置１Ｃ及び機器１Ｄを映像表示装置１Ｄとして説明する。
【００１８】
ＨＤＤレコーダ１Ａ、携帯電話機１Ｂ、映像表示装置１Ｃ、映像表示装置１Ｄ及びホームサーバ２は、無線ＬＡＮアクセスポイント３を介するインフラストラクチャーモードで無線ＬＡＮによって接続して、ホームネットワーク４を形成する。
【００１９】
部屋５と部屋６は別の使用者が使用し、各部屋に設置された機器は、各部屋の使用者が使用する。部屋５には、ＨＤＤレコーダ１Ａ、携帯電話機１Ｂ及び映像表示装置１Ｃが設置される。ＨＤＤレコーダ１Ａは、ユーザによって新たに追加された機器である。一方、部屋６には、映像表示装置１Ｄが設置される。ＨＤＤレコーダ１Ａ、携帯電話機１Ｂ及び映像表示装置１Ｃのユーザと映像表示装置１Ｄのユーザは相違する。
【００２０】
図２は、図１に示す機器１のブロック図である。なお、機器１とはＨＤＤレコーダ１Ａ、携帯電話機１Ｂ、映像表示装置１Ｃ及び映像表示装置１Ｄの総称である。
【００２１】
機器１は、制御部１１、無線ＬＡＮアダプタ１２及びデータ格納部１３を備える。
【００２２】
制御部１１は、プロセッサ及びメモリを備え、無線ＬＡＮアダプタ１２及びデータ格納部１３を利用して、種々の処理を実行する。無線ＬＡＮアダプタ１２は、機器１をネットワークに接続し、ネットワークに接続された他の機器と通信する。データ格納部１３は、ディスク装置であって、設定情報１４を格納する。設定情報１４は、機器１の動作を調整する情報である。
【００２３】
図３は、図１に示すホームサーバ２のブロック図である。
【００２４】
ホームサーバ２は、制御部２１、無線ＬＡＮアダプタ２２及びデータ格納部２３を備える。
【００２５】
制御部２１は、プロセッサ及びメモリを備え、無線ＬＡＮアダプタ２２及びデータ格納部２３を利用して、種々の処理を実行する。無線ＬＡＮアダプタ２２は、ホームサーバ２をネットワークに接続し、ネットワークに接続された他の機器と通信する。
【００２６】
データ格納部２３は、機器管理表２４、設定情報変換ルール管理表２５、設定情報変換ルール２６、機器設定アダプタ管理表２７及び機器設定アダプタ２８を格納する。
【００２７】
機器管理表２４はホームネットワーク４に接続された機器１を管理する表である。設定情報変換ルール管理表２５は、ホームサーバ２が設定情報変換ルール２６を管理する表である。設定情報変換ルール２６は、変換元の設定情報１４と変換後の設定情報１４を適合させる。機器設定アダプタ管理表２７は、ホームサーバ２が機器設定アダプタ２８を管理する表である。機器設定アダプタ２８は、ホームサーバが機器１から設定情報１４を取得する場合及び機器１に設定情報１４の値１４２を設定する場合に必要なプログラムである。
【００２８】
図４は、機器管理表２４の構成の一例を示す図である。
【００２９】
機器管理表２４は、データ格納部２３に格納される。機器管理表２４は、機器ＩＤ２４１、種類２４２及び型式２４３を有する。
【００３０】
機器ＩＤ２４１は、機器１Ａ〜１Ｄを示す一意な識別子である。種類２４２は、機器１Ａ〜１Ｄの種類を示す。型式２４３は、機器１Ａ〜１Ｄの型式を示す。
【００３１】
各機器１は、ホームネットワーク４に接続すると、種類２４２、及び型式２４３の情報をホームネットワーク４に送信する。ホームサーバ２は、当該情報を受信すると、機器ＩＤ２４１を設定して、機器管理表２４に受信した情報を格納する。
【００３２】
図５は、ＨＤＤレコーダ１Ａと他の機器（携帯電話機１Ｂ、映像表示装置１Ｃ及び映像表示装置１Ｄ）との電波強度測定結果１５を示す図である。
【００３３】
ホームサーバ２は、新たに追加されたＨＤＤレコーダ１Ａに、ホームネットワーク４に接続する携帯電話機１Ｂ、映像表示装置１Ｃ及び映像表示装置１Ｄとの距離を取得する要求をホームネットワーク４を介して送信する。当該要求を受信したＨＤＤレコーダ１Ａは、携帯電話機１Ｂ、映像表示装置１Ｃ及び映像表示装置１Ｄに対して、無線ＬＡＮアクセスポイント２３を介さないアドホックモードで無線ＬＡＮによって接続する。
【００３４】
具体的には、ホームサーバ２から要求を受信したＨＤＤレコーダ１Ａは、他の機器１に無線ＬＡＮアクセスポイント３を介さないアドホックモードで無線ＬＡＮにより接続するよう要求する。ＨＤＤレコーダ１Ａは、他の機器１からの電波を受信したＨＤＤレコーダ１Ａは、その電波強度を測定し、電波測定結果１５を作成する。そして、ＨＤＤレコーダ１Ａは、電波測定結果１５をホームサーバ２に送信する。
【００３５】
なお、本実施の形態では、他の機器１が電波を送信して、ＨＤＤレコーダ１Ａが電波強度を測定したが、ＨＤＤレコーダ１Ａが送信した電波の強度を、他の機器１が電波強度を測定するようにしてもよい。
【００３６】
この場合、他の機器１が電波強度をホームサーバ２に送信して、電波強度を受信したホームサーバ２が電波測定結果１５を作成する。また、他の機器１が電波強度をＨＤＤレコーダ１Ａに送信して、電波強度を受信したＨＤＤレコーダ１Ａが電波測定結果１５を作成して、ホームサーバ２に送信するようにしてもよい。
【００３７】
電波強度測定結果１５は、機器ＩＤ１５１及び電波強度１５２を含む。機器ＩＤ１５１は、携帯電話機１Ｂ、映像表示装置１Ｃ及び映像表示装置１Ｄを示す一意な識別子である。電波強度１５２は、携帯電話機１Ｂ、映像表示装置１Ｃ及び映像表示装置１Ｄが受信した電波の強度を示す。
【００３８】
電波強度１５２の値が大きい機器ほど、ＨＤＤレコーダ１Ａとの距離が近い。
【００３９】
ＨＤＤレコーダ１Ａに近い機器から順に、携帯電話機１Ｂ、映像表示装置１Ｃ、映像表示装置１Ｄとなる。
【００４０】
図６は、設定情報変換ルール管理表２５の構成の一例を示す図である。
【００４１】
設定情報変換ルール管理表２５は、設定情報変換ルール２６を管理する。設定情報変換ルール管理表２５は、ホームサーバ２のデータ格納部２３に格納される。
【００４２】
設定情報変換ルール管理表２５は、変換ルールＩＤ２５１、変換元２５２及び変換先２５３を含む。
【００４３】
変換ルールＩＤ２５１は、設定変換ルール２６を特定するための一意な識別子である。例えば、「Ｔ＿ＫＤ１＿ＨＲ１」は型式「ＫＤ１」の設定情報１４の値１４２を型式「ＨＲ１」の設定情報１４の値１４２に適合させるルールを示す。
【００４４】
変換先２５３は、設定情報１４の値１４２を設定する設定処理を実行する機器１の型式を示す。変換元２５２は、この設定処理の参照元となる設定処理対象元となる機器１の型式を示す。
【００４５】
図７は、機器設定アダプタ管理表２７の構成の一例を示す図である。
【００４６】
機器設定アダプタ管理表２７は、型式２７１及び機器設定アダプタＩＤ２７２を含む。
【００４７】
機器設定アダプタ２８は、型式２７１の機器から設定情報１４を読み出す場合、及び型式２７１の機器に設定情報１４を書き込む場合に必要なプログラムである。なお、機器設定アダプタ２８は、単独で実行可能なプログラムであっても、プログラムの断片的な部分であって単独で実行不可能なモジュールであってもよい。
【００４８】
型式２７１は、機器設定アダプタ２８が設定情報１４を読み書き可能な機器１の型式を示す。機器設定アダプタＩＤ２７２は、各型式２７１に対応する機器設定アダプタ２８を示す一意な識別子である。
【００４９】
例えば、型式「ＨＲ１」の機器の設定情報１４の読み書きには、機器設定アダプタＩＤ「Ａ＿ＨＲ１」が用いられる。
【００５０】
ホームサーバ２は、機器１のメーカの配信サーバから、新しい型式に対応する機器設定アダプタ２８をダウンロードすることができる。
【００５１】
図８Ａは、設定情報変換ルール２６（Ｔ＿ＫＤ１＿ＨＲ１）の構成を示す図である。
【００５２】
設定情報変換ルール２６は、変換元の項目２６１及び変換先の項目２６２を含む。
【００５３】
設定情報変換ルール２６は、変換元の設定情報１４と変換後の設定情報１４を適合させる。具体的には、ホームサーバ２は、設定情報変換ルール２６を参照して、変換元の項目２６１の値１４２を変換先の項目２６２の値１４２に設定する。
【００５４】
ホームサーバ２は、設定情報変換ルール２６（Ｔ＿ＫＤ１＿ＨＲ１）を参照して、型式「ＫＤ１」の変換元の項目「ユーザインタフェース」の値を型式「ＨＲ１」の変換先の項目「メニュー構成」の値に設定して、変換元の項目「言語」の値を変換先の項目「言語」の値に設定する。
【００５５】
図８Ｂは、設定情報変換ルール２６（Ｔ＿ＴＶ１＿ＨＲ１）の構成を示す図である。
【００５６】
ホームサーバ２は、設定情報変換ルール２６（Ｔ＿ＴＶ１＿ＨＲ１）を参照して、型式「ＴＶ１」変換元の項目「受信チャンネル」の値を変換先の項目「受信チャンネル」の値に設定して、型式「ＨＲ１」変換元の項目「好きな番組ジャンル」の値を変換先の項目「自動録画対象」の値に設定する。
【００５７】
ホームサーバ２は、機器１のメーカの配信サーバから、新しい型式に対応する設定情報変換ルール２６をダウンロードすることができる。
【００５８】
図９Ａは、設定処理実行前のＨＤＤレコーダ１Ａの設定情報１４の構成を示す図である。
【００５９】
ＨＤＤレコーダ１Ａの設定情報１４は、項目１４１及び値１４２を含む。項目１４１は、「言語」、「メニュー構成」、「受信チャンネル」及び「自動録画対象」を含む。全ての項目について値１４２は、まだ設定されていないので、全て「未設定」である。
【００６０】
図９Ｂは、設定処理実行後のＨＤＤレコーダ１Ａの設定情報１４の構成を示す図である。
【００６１】
項目１４１は、変換処理実行前のＨＤＤレコーダ１Ａの設定情報１４の項目１４１と同じである。値１４２は、設定処理実行後であるので、各項目に対応する値がホームサーバ２によって自動的に設定されている。
【００６２】
図１０は、携帯電話機１Ｂ（携帯電話）の設定情報１４の構成を示す図である。
【００６３】
携帯電話機１Ｂの設定情報１４は、項目１４１及び値１４２を含む。
【００６４】
項目１４１は、「ユーザインタフェース」及び「言語」を含む。値１４２は、「ユーザインタフェース」は「シンプル」に設定されており、また、「言語」は「日本語」に設定されている。
【００６５】
図１１は、映像表示装置１Ｃ（テレビ）の設定情報１４の構成を示す図である。
【００６６】
映像表示装置１Ｃの設定情報１４は、項目１４１及び値１４２を含む。項目１４１は、「受信チャンネル」及び「好きな番組ジャンル」を含む。値１４２は、「受信チャンネル」は「横浜」に設定されており、「好きな番組ジャンル」は「映画」に設定されている。
【００６７】
図１２は、映像表示装置１Ｄ（テレビ）の設定情報１４の構成を示す図である。
【００６８】
項目１４１は、「受信チャンネル」及び「好きな番組ジャンル」を含む。値１４２は、「受信チャンネル」は「ＣＡＴＶ」に設定されており、「好きな番組ジャンル」は「スポーツ」に設定されている。
【００６９】
図１３は、設定処理の処理手順を示すフローチャートである。
【００７０】
ユーザによって新たに追加された追加機器１はＨＤＤレコーダ１Ａである。ホームサーバ２は、機器管理表２４にＨＤＤレコーダ１Ａの情報を追加する（ステップＳ１）。
【００７１】
次に、ホームサーバ２は、ホームネットワーク４に接続された携帯電話機１Ｂ、映像表示装置１Ｃ及び映像表示装置１Ｄとの距離を取得する要求を、ＨＤＤレコーダ１Ａに送信する。ホームサーバ２から要求を受信したＨＤＤレコーダ１Ａは、他の機器１に無線ＬＡＮアクセスポイント３を介さないアドホックモードで無線ＬＡＮにより接続するよう要求する。ＨＤＤレコーダ１Ａは、他の機器１からの電波を受信したＨＤＤレコーダ１Ａは、その電波強度を測定し、電波測定結果１５を作成する。そして、ＨＤＤレコーダ１Ａは、電波測定結果１５をホームサーバ２に送信する（ステップＳ２）。
【００７２】
ホームサーバ２は、ＨＤＤレコーダ１Ａから電波測定結果１５を受信すると、電波測定結果１５をデータ格納部２３に格納する。
【００７３】
なお、本実施形態では、受信信号強度を利用したが、各機器１で受信する電波と雑音の比（Ｓ／Ｎ比又はＣ／Ｎ比）を利用してもよい。
【００７４】
次に、ホームサーバ２は、電波測定結果１５を参照して、ＨＤＤレコーダ１Ａに最も距離が近い携帯電話機１Ｂを、ＨＤＤレコーダ１Ａのユーザが利用している機器として選択する（ステップＳ３）。具体的には、ホームサーバ２は、まだ選択されていない機器１の中から、電波測定結果１５の電波強度１５２が最も大きい機器１を選択する。
【００７５】
次に、ホームサーバ２は、携帯電話機１Ｂの設定情報１４の値１４２をＨＤＤレコーダ１Ａの設定情報１４の値１４２に設定する設定処理に対応する設定情報変換ルール２６がデータ格納部２３に格納されているか否かを判定する（ステップＳ４）。具体的には、ホームサーバ２は、設定情報変換ルール管理表２５の変換元２５２が「ＫＤ１」であって、設定情報変換ルール管理表２５の変換先２５３が「ＨＲ１」である変換ルールＩＤ２５１を検索する。その結果、変換ルールＩＤ２５１「Ｔ＿ＫＤ１＿ＨＲ１」が該当するので、ステップＳ５に進む。もし、該当する設定情報変換ルール２６がデータ格納部２３に格納されていない場合には、ステップＳ３に戻る。
【００７６】
次に、ホームサーバ２は、携帯電話機１Ｂの設定情報１４の値１４２をＨＤＤレコーダ１Ａの設定情報１４の値１４２に設定する設定処理を実行する（ステップＳ５）。
【００７７】
具体的には、ホームサーバ２は、機器設定アダプタ管理表２７を参照して、携帯電話機１Ｂの型式ＫＤ１と一致する機器設定アダプタＩＤ２７２「Ａ＿ＫＤ１」を取得する。また、ホームサーバ２は、機器設定アダプタ管理表２７を参照して、ＨＤＤレコーダ１Ａの型式ＨＲ１と一致する機器設定アダプタＩＤ２７２「Ａ＿ＨＲ１」を取得する。
【００７８】
ホームサーバ２は、携帯電話機１Ｂに対応する機器設定アダプタ２８である「Ａ＿ＫＤ１」によって、携帯電話機１Ｂの設定情報１４を取得する。ホームサーバ２は、設定情報変換ルール２６を参照して、ホームサーバ２がＨＤＤレコーダ１Ａのユーザが利用している機器として選択した携帯電話機１Ａに対応する機器設定アダプタ２８「Ａ＿ＨＲ１」によって、変換元の項目「ユーザインタフェース」の値「シンプル」を変換先の項目「メニュー構成」の値１４２に設定する。また、ホームサーバ２変換元の項目「言語」の値「日本語」を変換先の項目「言語」の値１４２に設定する（ステップＳ５）。
【００７９】
次に、ホームサーバ２は、ＨＤＤレコーダ１Ａの設定情報１４のすべての項目１４１について設定処理が実行されたか否かを判定する（ステップＳ６）。その結果、「受信チャンネル」及び「自動録画対象」については設定処理が実行されていないので、ステップＳ３に戻る。
【００８０】
携帯電話機１Ｂは、ホームサーバ２によってＨＤＤレコーダ１Ａのユーザが利用している機器として選択されたので、ステップＳ３の選択対象にはならない。従って、ホームサーバ２は、電波測定結果表示１５を参照し、ＨＤＤレコーダ１Ａと二番目に距離が近い映像表示装置１Ｃを選択する（ステップＳ３）。
【００８１】
次に、ホームサーバ２は、映像表示装置１Ｃの設定情報１４の値１４２をＨＤＤレコーダ１Ａの設定情報１４の値１４２に設定する設定処理に対応する設定情報変換ルール２６がデータ格納部２３に格納されているか否かを判定する（ステップＳ４）。変換ルールＩＤ２５１「Ｔ＿ＴＶ１＿ＨＲ１」が該当するので、ステップＳ５に進む。
【００８２】
次に、ホームサーバ２は、機器設定アダプタ管理表２７を参照して、映像表示装置１Ｃの型式ＴＶ１と一致する機器設定アダプタＩＤ２７２「Ａ＿ＴＶ１」を取得する。また、ホームサーバ２は、機器設定アダプタ管理表２７を参照して、ＨＤＤレコーダ１Ａの型式ＨＲ１と一致する機器設定アダプタＩＤ２７２「Ａ＿ＨＲ１」を取得する。
【００８３】
ホームサーバ２は、ホームサーバ２がＨＤＤレコーダ１Ａのユーザが利用している機器として選択した映像表示装置１Ｃに対応する機器設定アダプタ２８である「Ａ＿ＴＶ１」によって、変換元の機器ＴＶ１の設定情報１４を取得する。
【００８４】
ホームサーバ２は、設定情報変換ルール２６（Ｔ＿ＴＶ１＿ＨＲ１）を参照して、ＨＤＤレコーダ１Ａに対応する機器設定アダプタ２８「Ａ＿ＨＲ１」によって、変換元の項目「受信チャンネル」の値「横浜」を変換先の項目「受信チャンネル」の値１４２に設定する。また、ホームサーバ２変換元の項目「好きな番組ジャンル」の値「映画」を変換先の項目「自動録画対象」の値１４２に設定する（ステップＳ５）。
【００８５】
次に、ホームサーバ２は、ＨＤＤレコーダ１Ａの設定情報１４のすべての項目１４１について設定処理が実行されたか否かを判定すると（ステップＳ６）、ＨＤＤレコーダ１Ａの設定情報１４のすべての項目１４１について設定処理が実行されたので、設定処理を終了する。
【００８６】
以上説明したように、本実施の形態では、ホームサーバ２は、ＨＤＤレコーダ１Ａから距離が最も近い位置に位置する機器１から設定情報引継処理を実行するので、ＨＤＤレコーダ１Ａのユーザが利用している携帯電話機１Ｂ及び映像表示装置１Ｃの設定情報１４をＨＤＤレコーダ１Ａの設定情報１４に設定することができる。従って、ホームサーバ２は、ＨＤＤレコーダ１Ａのユーザにとって最適な設定情報１４を自動的に設定することができる。
【００８７】
ホームサーバ２は、ＨＤＤレコーダ１Ａから距離が最も近い位置に位置する携帯電話機１Ｂから、ＨＤＤレコーダ１Ａの設定情報１４の値１４２の設定処理を実行しない場合は、ＨＤＤレコーダ１Ａのユーザが利用していない映像表示装置１Ｄを選択して、設定処理を実行してしまう可能性がある。各ユーザにとって最適に機器１が動作するように、設定情報１４が設定されているので、他のユーザが利用している映像表示装置１Ｄの設定情報１４の値１４２をＨＤＤレコーダ１Ａの設定情報１４の値１４２に設定しても、ＨＤＤレコーダ１Ａのユーザにとって最適な設定ではない。
【００８８】
また、本発明の実施の形態では、図１３のステップＳ３において、電波強度測定結果１５の電波強度によって追加機器１から最も距離が近い機器１を選択したが、ＧＰＳ（Ｇｌｏｂａｌ  Ｐｏｓｉｔｉｏｎｉｎｇ  Ｓｙｓｔｅｍ）を利用してもよい。即ち、各機器１はＧＰＳアンテナを備え、ＧＰＳアンテナから取得した情報に基づいて、各機器１が位置情報を算出する。ホームサーバ２は、当該位置情報に基づいて各機器１間の距離を算出する。
【００８９】
なお、本発明の実施の形態は、ホームサーバ２のデータ格納部２３は機器管理表２４、設定情報変換ルール管理表２５、設定情報変換ルール２６、機器設定アダプタ管理表２７及び機器設定アダプタ２８を格納し、ホームサーバ２が図１３に示す設定処理を実行する。しかし、各機器１のデータ格納部１３が機器管理表２４、設定情報変換ルール管理表２５、設定情報変換ルール２６、機器設定アダプタ管理表２７及び機器設定アダプタ２８を格納することによって、各機器１が図１３に示す設定処理を実行することも可能である。
【００９０】
また、新たな設定情報変換ルール管理表２５、設定情報変換ルール２６、機器設定アダプタ管理表２７及び機器設定アダプタ２８が存在する場合には、ホームサーバ２が各メーカの配信サーバからダウンロードすることができるとしたが、追加機器１のメーカは、新たな設定情報変換ルール管理表２５、設定情報変換ルール２６、機器設定アダプタ管理表２７及び機器設定アダプタ２８をデータ格納部１３に格納した状態で追加機器１を販売してもよい。
【産業上の利用可能性】
【００９１】
本発明は、ネットワークに接続された複数の機器の設定情報の設定処理に適用できる。
【図面の簡単な説明】
【００９２】
【図１】本発明の実施の形態の計算機システムの構成を示すシステム構成図である。
【図２】機器のブロック図である。
【図３】ホームサーバのブロック図である。
【図４】機器管理表の構成の一例を示す図である。
【図５】電波強度測定結果を示す図である。
【図６】設定情報変換ルール管理表の構成の一例を示す図である。
【図７】機器設定アダプタ管理表の構成の一例を示す図である。
【図８Ａ】設定情報変換ルール（Ｔ＿ＫＤ１＿ＨＲ１）の構成を示す図である。
【図８Ｂ】設定情報変換ルール（Ｔ＿ＴＶ１＿ＨＲ１）の構成を示す図である。
【図９Ａ】設定処理実行前の機器（ＨＤＤレコーダ）の設定情報の構成を示す図である。
【図９Ｂ】設定処理実行後の機器（ＨＤＤレコーダ）の設定情報の構成を示す図である。
【図１０】機器（携帯電話）の設定情報の構成を示す図である。
【図１１】機器（テレビ）の設定情報の構成を示す図である。
【図１２】機器（テレビ）の設定情報の構成を示す図である。
【図１３】設定処理の処理手順を示すフローチャートである。
【符号の説明】
【００９３】
１：機器
２：ホームサーバ
３：無線ＬＡＮアクセスポイント
４：ホームネットワーク
２６：設定情報変換ルール
２８：機器設定アダプタ
【図１】
0004699886.tif 000002
【図２】
0004699886.tif 000003
【図３】
0004699886.tif 000004
【図４】
0004699886.tif 000005
【図５】
0004699886.tif 000006
【図６】
0004699886.tif 000007
【図７】
0004699886.tif 000008
【図８Ａ】
0004699886.tif 000009
【図８Ｂ】
0004699886.tif 000010
【図９Ａ】
0004699886.tif 000011
【図９Ｂ】
0004699886.tif 000012
【図１０】
0004699886.tif 000013
【図１１】
0004699886.tif 000014
【図１２】
0004699886.tif 000015
【図１３】
0004699886.tif 000016